(57)【特許請求の範囲】
【請求項１】
略Ｌ字の平面形状に形成され、軒樋を嵌合可能な軒樋嵌合部が両端に設けられている継手本体を備え、その継手本体の入隅部が、継手本体の出隅部側に膨らんだ壁で形成されている曲り樋継手において、
前記継手本体は、底壁と、この底壁の両側から立設した屋内側及び屋外側側壁で形成され、その入隅部の下端コーナー部の曲率半径が軒樋嵌合部の下端コーナー部の曲率半径より大きくなされるとともに、前記継手本体の入隅部のコーナー部の側壁高さ位置がその両側の部分にくらべて低くなされていることを特徴とする曲り樋継手。
【発明の詳細な説明】
【０００１】
【発明の属する技術分野】
本発明は、家屋の軒先の出隅部に設けられる曲り樋継手に関する。
【０００２】
【従来の技術】
軒先の出隅部に設けられる従来の曲り樋継手としては、例えば、特開平７−２５９２７７号公報に記載されているようなものがある。
【０００３】
この曲り樋継手は、略Ｌ字の平面形状に形成され、軒樋を嵌合可能な軒樋嵌合部が両端に設けられている継手本体を備え、その継手本体の入隅部が継手本体の出隅部側に膨らんだ円弧状の壁で形成されている曲り樋継手において、その継手本体の入隅部の両端部が、入隅部と軒樋嵌合部とを滑らかに連続させる円弧状の壁で形成されているものである。
【０００４】
この曲り樋継手にあっては、その継手本体の入隅部の両端部が、入隅部と軒樋嵌合部とを滑らかに連続させる円弧状の壁で形成されているため、軒樋嵌合部に嵌合させた軒樋が気温の上昇に伴って伸長することによって継手本体に圧縮力が作用した時と、軒樋嵌合部に嵌合させた軒樋が気温の下降に伴って収縮することによって継手本体に引っ張り力が作用した時のいずれの場合においても、継手本体の入隅部側の側壁に生じる応力は、入隅部からその両側部にかけての部分にほぼ均等に分散して、亀裂が生じたり破壊したりすることがなく、簡便なものである。
【０００５】
【発明が解決しようとする課題】
しかしながら、上記の継手本体の軒樋嵌合部と軒樋が嵌合していない部分の垂直断面形状は、軒樋とほぼ同じ形状とされ、入隅部の下端コーナー部の曲率半径は小さく、角張った形になされているため、軒樋の温度変化に伴って生じる伸縮で、入隅部の下端コーナー部に応力が集中し、入隅部の下端コーナー部から亀裂を生じたり破壊したりするという問題があった。
【０００６】
又、軒先に軒樋と曲り継手を取り付けるとき、曲り継手と鼻隠し板間に一定間隔開けて取り付けるようになされていないため、曲り継手の入隅部の側壁に一部が鼻隠し板に近づいて施工されることによって、軒樋の温度変化に伴って生じる伸縮で、曲り継手が鼻隠し板に当って、亀裂が生じたり破壊したりするという問題があった。
【０００７】
そこで、本発明は、上記のような問題に着目し、温度変化が原因となる亀裂や破壊が生じることのない曲り樋継手を提供することを目的としている。
【０００８】
【課題を解決するための手段】
請求項１記載の発明は、略Ｌ字の平面形状に形成され、軒樋を嵌合可能な軒樋嵌合部が両端に設けられている継手本体を備え、その継手本体の入隅部が、継手本体の出隅部側に膨らんだ壁で形成されている曲り樋継手において、前記継手本体は、底壁と、この底壁の両側から立設した屋内側及び屋外側側壁で形成され、その入隅部の下端コーナー部の曲率半径が軒樋嵌合部の下端コーナー部の曲率半径より大きくなされるとともに、前記継手本体の入隅部のコーナー部の側壁高さ位置がその両側の部分にくらべて低くなされているものである。
【０００９】
請求項１の発明において、軒樋嵌合部の形状は、軒樋が嵌合でき、軒樋嵌合部で軒樋を係止することができれば、適宜な形状でよく、例えば、垂直断面形状が軒樋とほぼ同じで、軒樋嵌合部の端部の上端部に内側に向けて相対して係止爪を設けて、この係止爪で軒樋の屋外側と屋内側の耳部を押え付けるようにするとしっかり軒樋嵌合部で軒樋の端部を係止することができるので好ましい。
【００１０】
請求項１の発明において、入隅部の下端コーナー部の曲率半径の大きさは、軒樋嵌合部と軒樋の下端コーナー部の曲率半径より大きく、接続されている軒樋の温度変化に伴って生じる伸縮で、入隅部の下端コーナー部に応力が集中しても、入隅部の下端コーナー部から亀裂を生じたり破壊したりしない程度の大きさであれば、適宜な大きさでよい。
【００１１】
請求項１の発明において、出隅部の側壁の形状は、軒樋の屋外側の側壁と同じ形状であれば、適宜な形状でよく、例えば、上壁部と下壁部に分けて、それぞれの壁部の内側に上壁係止部と下壁係止部とを設けて、上壁部と下壁部とを接続して出隅部の側壁としてもよい。
【００１２】
【作用】
請求項１記載の発明では、底壁と、この底壁の両側から立設した屋内側及び屋外側側壁で形成されている継手本体の入隅部の下端コーナー部の曲率半径が軒樋嵌合部の下端コーナー部の曲率半径より大きくなされているから、軒樋嵌合部に嵌合させた軒樋が気温の上昇に伴って伸長することによって継手本体に圧縮力が作用した時と、軒樋嵌合部に嵌合させた軒樋が気温の下降に伴って収縮することによって継手本体に引っ張り力が作用した時のいずれの場合においても、継手本体の入隅部側の下端部のコーナー部に生じる応力は、入隅部にほぼ均等に分散して、亀裂が生じたり破壊したりすることがない。
また、継手本体の入隅部のコーナー部の側壁高さ位置がその両側の部分にくらべて低くなされているので、大型の軒樋の場合、軒樋吊具を屋根の出隅部に取り付け、軒樋吊具で継手本体を吊るとき、軒樋吊具の腕部が邪魔にならずに、継手本体の出隅部と入隅部のコーナーを吊ることができる。
【００１３】
【発明の実施の形態】
本発明の一実施例を図１〜図４に基づいて、詳述する。
図１は曲り樋継手の分解説明図、図２は曲り樋継手の側面図、図３は図１の接続部材のＤ−Ｄ矢視断面図、図４は曲り樋継手吊具で曲り樋継手を吊っている状態を示す説明図である。
【００１４】
図１及び図２において、１は合成樹脂（塩化ビニル樹脂）製の曲り樋継手であり、曲り樋継手１は、屋外側側壁がほぼ中央部で上下２つに分割され、略Ｌ字の平面形状に形成されている。この曲り樋継手１は、両端部に軒樋５を嵌合可能な軒樋嵌合部１２が設けられている継手本体１１と、接続部材３と、両端部の上端部に押え片１６を有した上壁部８と、軒樋係止部１８と、両端部の軒樋嵌合部１２の屋内側側壁の上端部に設けられた押え片１６とからなっている。
【００１５】
継手本体１１は、屋外側側壁の下壁部９と屋内側側壁と底面とで垂直方向の断面形状がほぼＵ字形になされている。この下壁部９のコーナー側端部に接続部材３（後述説明）の取付部３１が設けられている。継手本体１１の入隅部１３が出隅部１５側に膨らんだ側壁で形成されている。図２に示すように、継手本体１１の入隅部１３のコーナー部近傍が一段低くなされている。この一段低くなされているところに、曲り樋継手吊具７の腕部が通されるようになされている。
【００１６】
この両端部の軒樋嵌合部１２の端部の屋内側側壁の上端部にそれぞれ押え片１６が内側に向けて設けられている。この両端部の軒樋嵌合部１２の奥部に軒樋係止部１８が設けられている。この両端部の軒樋嵌合部１２の下端部の底部と側壁とのコーナー部は、軒樋５の下端部のコーナー部とほぼ同じ形状になされ、角張っている。このコーナー部の曲率半径は約８ｍｍになされている。軒樋５の端部が軒樋嵌合部１２の奥部の軒樋係止部１８に差し込まれ、軒樋５の屋内側耳部（図示省略）を押え片１６で押え付けて、曲り樋継手１に軒樋５が接続されるようになされている。
【００１７】
継手本体１１の入隅部１３の下端部の底部と側壁とのコーナー部は、円弧状になされ、このコーナー部の曲率半径は約２３ｍｍになされ、軒樋嵌合部１２の下端コーナー部の曲率半径より大きくなされている。
【００１８】
接続部材３は、図１と図３に示すように、略Ｌ字の平面形状に形成され、垂直方向の断面形状が横釣針状になされ、一方の端部に差込口３４と、下方に向けて２本の凸部３２、３３とが設けられ、差込口３４が屋外方向に向けるようにして、この２本の凸部３２、３３を継手本体１１の取付部３１に押し込むことができるようになされている。この差込口３４は入口が奥部より狭くなされている。
【００１９】
上壁部８は、図１と図２に示すように、略Ｌ字の平面形状に形成され、垂直方向の断面形状がほぼＬ字形になされ、上端部が屋内側方向に曲げられ、両端部の上端部には押え片１６が設けられている。下端部のコーナー部近傍両方向には、屋内側方向に向けて、接続部材３の略Ｌ字の平面形状の長さとほぼ同じ長さの差込部８１が設けられ、この差込部８１が接続部材３の差込口３４に押し込んで係止できるようになされている。
【００２０】
次に、曲り継手１の取付方法と作用を説明する。
先ず、継手本体１１の取付部３１に、接続部材３の差込口３４が屋外方向に向けるようにして、２本の凸部３２、３３を押し込んで、継手本体１１に接続部材３を取り付ける。
【００２１】
次に、軒先の出隅部において、一方の軒先に施工された軒樋５の一端部に、接続部材３が取り付けられた継手本体１１の一方の軒樋嵌合部１２の軒樋係止部１８を接続する。次に、他方の軒先に施工された軒樋５の一端部に、接続部材３が取り付けられた継手本体１１の他方の軒樋嵌合部１２の軒樋係止部１８を接続する。
【００２２】
次に、上壁部８の下端部の差込部８１を接続部材３の差込口３４に押し込んで、上壁部８を接続部材３に取り付け、上壁部８の両端部の上端部の押え片１６で軒樋５の屋外側耳部（図示省略）を押える。接続部材３を介して上壁部８と継手本体１１の下壁部９とを接続して、軒樋５、５に曲り継手１を接続する。
【００２３】
次に、軒先の出隅部のコーナー部に曲り継手吊具７を取り付け、曲り継手吊具７の屋外側耳保持部で曲り継手１の屋外側耳部を保持し、屋内側耳保持部で曲り継手１の屋内側耳部を保持する。
【００２４】
このようにすると、継手本体１１の入隅部１３の下端コーナー部の曲率半径が軒樋嵌合部１２の下端コーナー部の曲率半径より大きくなされているから、軒樋嵌合部１２に嵌合させた軒樋５が気温の上昇に伴って伸長することによって継手本体に圧縮力が作用した時と、軒樋嵌合部１２に嵌合させた軒樋５が気温の下降に伴って収縮することによって継手本体１１に引っ張り力が作用した時のいずれの場合においても、継手本体１１の入隅部１３側の下端部のコーナー部に生じる応力は、入隅部にほぼ均等に分散して、亀裂が生じたり破壊したりすることがない。
【００２５】
以上、本発明の一実施例を図面により詳述してきたが、具体的な構成はこの実施例に限られるものではなく、本発明の要旨を逸脱しない範囲における設計の変更等があっても本発明に含まれる。例えば、図５に示すように、コ字部材の開口部が継手本体１１の入隅部１３の側壁の外側面の上端部に取り付けて係止部とし、図６に示すように、間隙保持部材２の形状を２本の横材２１と縦材２２とからなる横Ｔ字部材とし、この縦材２２のほぼ中央部にスリット２４を設け、縦材２２の上端部を矢印状にしたものにしておくと、縦材２２の上端部を両方から押えて縦材２２の幅を小さくして、コ字部材の係止部１４に差し込んで、両方からの押えを外すと、縦材２２の上端部を矢印状がコ字部材の係止部１４に引っ掛けて係止できる。
【００２６】
このようにすると、継手本体１１の入隅部１３の側壁の外側面に間隙保持部材２が設けることができるから、軒先に軒樋５と曲り継手１を取り付けるとき、曲り継手１と鼻隠し板６とに一定間隔を開けることができ、軒樋５の伸縮によって曲り継手１が鼻隠し板６に接触せず、曲り継手１が鼻隠し板６に当ったりして亀裂が生じたり破壊したりすることがない。
【００２７】
更に、継手本体１１の入隅部１３の側壁に間隙保持部材２を係止させる係止部１４が設けられているから、間隙保持部材２を係止部１４で係止させることによって、間隙保持部材２がずれたりせず、間隙保持部材２の位置決めをきちんとすることができる。
【００２８】
【発明の効果】
以上説明したように、請求項１記載の発明では、底壁と、この底壁の両側から立設した屋内側及び屋外側側壁で形成されている継手本体の入隅部の下端コーナー部の曲率半径が軒樋嵌合部の下端コーナー部の曲率半径より大きくなされているから、軒樋嵌合部に嵌合させた軒樋が気温の上昇に伴って伸長することによって継手本体に圧縮力が作用した時と、軒樋嵌合部に嵌合させた軒樋が気温の下降に伴って収縮することによって継手本体に引っ張り力が作用した時のいずれの場合においても、継手本体の入隅部側の下端部のコーナー部に生じる応力は、入隅部にほぼ均等に分散して、亀裂が生じたり破壊したりすることがない。
また、継手本体の入隅部のコーナー部の側壁高さ位置がその両側の部分にくらべて低くなされているので、大型の軒樋の場合、軒樋吊具を屋根の出隅部に取り付け、軒樋吊具で継手本体を吊るとき、軒樋吊具の腕部が邪魔にならずに、継手本体の出隅部と入隅部のコーナーを吊ることができる。
【図面の簡単な説明】
【図１】曲り樋継手の分解説明図である。
【図２】曲り樋継手の側面図である。
【図３】図１の接続部材のＤ−Ｄ矢視断面図である。
【図４】曲り樋継手吊具で曲り樋継手を吊っている状態を示す説明図である。
【図５】継手本体の入隅部の側壁の外側面に係止部が設けられている状態を示す説明図である。
【図６】間隙保持部材の斜視図である。
【符号の説明】
１  曲り樋継手
１１  継手本体
１２  軒樋嵌合部
１３  入隅部
１４  係止部
１５  出隅部
１６  押え片
１８  軒樋係止部
３１  取付部
３  接続部材
３４  差込口
５  軒樋
６  鼻隠し板
７  曲り樋継手吊具
８  上壁部
８１  差込部
９  下壁部
【図２】
0004550953.tif 000002
【図４】
0004550953.tif 000003
【図５】
0004550953.tif 000004
【図６】
0004550953.tif 000005
【図１】
0004550953.tif 000006
【図３】
0004550953.tif 000007